(57)【要約】【課題】携帯端末の非接触ＩＣに記憶されている通貨の電子マネーを滞在先の通貨の電子マネーに自動的に両替する。【解決手段】携帯端末１は、電子マネーを記憶可能な非接触ＩＣ５を搭載し、滞在先の通貨の種類を含む通貨情報を送信する基地局３を認識し、基地局３と送受信可能なものとする。電子マネー両替サーバ１０，１１，１２を、通貨情報に基づく携帯端末１からの両替レートの照会要求に対して、予め定められた両替レートを携帯端末１に送信する手段及び携帯端末１からの両替要求額を含む両替処理要求に対して、両替処理を実行する手段を有するものとする。【選択図】図１
2007026274.tif 000002
【特許請求の範囲】
【請求項１】
電子マネーを記憶可能な非接触ＩＣを搭載し、滞在先の通貨の種類を含む通貨情報を送信する基地局を認識し、該基地局と送受信可能な携帯端末と、
上記受信した通貨情報に基づく携帯端末からの両替レートの照会要求に対して、予め定められた両替レートを該携帯端末に送信する手段及び該携帯端末からの両替要求額を含む両替処理要求に対して、両替処理を実行する手段を有する電子マネー両替サーバとを含むことを特徴とする携帯端末システム。
【請求項２】
請求項１の携帯端末システムにおいて、
複数の上記電子マネー両替サーバを有し、
上記携帯端末は上記複数の電子マネー両替サーバに対して、非接触ＩＣに記憶された通貨の電子マネーを滞在先の通貨の電子マネーに両替可能か否かの照会要求を送信し、
上記携帯端末は上記照会要求に対して肯定応答のあった電子マネー両替サーバに対して、上記両替レートの照会要求及び両替処理要求を送信することを特徴とする携帯端末システム。
【請求項３】
請求項１又は２の携帯端末システムにおいて、
上記電子マネー両替サーバは、少なくとも円単位の電子マネーと外貨単位の電子マネーとを両替可能であることを特徴とする携帯端末システム。
【請求項４】
請求項１〜３いずれか１つの携帯端末システムにおいて、
両替レートの異なる複数の上記電子マネー両替サーバを有し、
上記携帯端末は上記複数の電子マネー両替サーバに対して、上記両替レートの照会要求を送信し、
上記携帯端末は、上記照会要求に対して応答された複数の両替レートの中で最も高い両替レートを示した電子マネー両替サーバを選択し、該選択した電子マネー両替サーバに対して上記両替処理要求を送信することを特徴とする携帯端末システム。
【請求項５】
電子マネーを記憶可能な非接触ＩＣを搭載した携帯端末からの両替レートの照会要求に対して、予め定められた両替レートを該携帯端末に送信する手段及び該携帯端末からの両替要求額を含む両替処理要求に対して、両替処理を実行する手段を有する電子マネー両替サーバであって、
上記携帯端末は、滞在先の通貨の種類を含む通貨情報を送信する基地局を認識し、該基地局と送受信可能であり、該受信した通貨情報に基づいて上記両替レートの照会要求を送信することを特徴とする電子マネー両替サーバ。
【請求項６】
請求項５の電子マネー両替サーバにおいて、
上記携帯端末からの非接触ＩＣに記憶された通貨の電子マネーを滞在先の通貨の電子マネーに両替可能か否かの照会要求に対して応答することを特徴とする電子マネー両替サーバ。
【請求項７】
請求項５又は６の電子マネー両替サーバにおいて、
少なくとも円単位の電子マネーと外貨単位の電子マネーとを両替可能であることを特徴とする電子マネー両替サーバ。
【請求項８】
電子マネーを記憶可能な非接触ＩＣを搭載し、滞在先の通貨の種類を含む通貨情報を送信する基地局を認識し、該基地局と送受信可能であり、
予め定められた両替レートを送信する手段及び両替処理を実行する手段を有する電子マネー両替サーバと送受信可能であり、
上記電子マネー両替サーバに対して、上記受信した通貨情報に基づく両替レートの照会要求及び両替要求額を含む両替処理要求を送信することを特徴とする携帯端末。
【請求項９】
請求項８の携帯端末において、
複数の上記電子マネー両替サーバと送受信可能であり、
上記複数の電子マネー両替サーバに対して、上記非接触ＩＣに記憶された通貨の電子マネーを滞在先の通貨の電子マネーに両替可能か否かの照会要求を送信し、
上記照会要求に対して肯定応答のあった電子マネー両替サーバに対して、上記両替レートの照会要求及び両替処理要求を送信することを特徴とする携帯端末。
【請求項１０】
請求項８又は９の携帯端末において、
両替ルートが異なる複数の上記電子マネー両替サーバと送受信可能であり、
上記複数の電子マネー両替サーバに対して、上記両替レートの照会要求を送信し、
上記照会要求に対して応答された複数の両替レートの中で最も高い両替レートを示した電子マネー両替サーバを選択し、該選択した電子マネー両替サーバに対して上記両替処理要求を送信することを特徴とする携帯端末。
【発明の詳細な説明】
【技術分野】
【０００１】
本発明は、携帯端末システム、電子マネー両替サーバ及び携帯端末に関し、特に、海外へ行った際に、携帯端末の非接触ＩＣに記憶された通貨の電子マネーを滞在先の通貨の電子マネーに自動両替可能な携帯端末システム、電子マネー両替サーバ及び携帯端末に関するものである。
【背景技術】
【０００２】
近年、携帯端末を利用した電子マネーシステムが普及しつつある。これは、料金決済の手段として、現金を使用するのではなく、電子マネーを利用した電子決済を行うシステムを携帯端末に搭載するものである。このシステムでは、非接触ＩＣやＰＤＡ（Ｐｅｒｓｏｎａｌ  Ｄｉｇｉｔａｌ  Ａｓｓｉｓｔａｎｔｓ）等の携帯電子機器に貨幣価値を示す電子マネーデータを記憶させ、専用の決済端末において、電子マネーデータの授受を行い、キャッシュレスで支払いを済ますことができる。さらに、携帯端末において、複数の通信事業者のサポート地域にまたがってサービスが受けられるローミングが盛んに利用されている。そして、次世代移動体通信システムの規格であるＩＭＴ２０００等で注目されているように、携帯端末のユーザが直接契約している通信事業者のサービスを海外の提携事業者のサービスエリア内でも受けられる国際ローミングサービスが展開されている。
【０００３】
このように、国際ローミングサービスに加入し、電子決済を行えるシステムを備えている携帯端末においては、仕事や旅行等で海外に行く際に、携帯端末に搭載されている非接触ＩＣに記憶されている電子マネーの通貨が、滞在先の電子マネーの通貨と異なる場合がある。この場合、非接触ＩＣに記憶されている電子マネーの通貨が、決済端末の受け付ける通貨と異なるため、ユーザは滞在先の銀行や電子マネーチャージ機に出向き、滞在先の電子マネーを取得しなければならない。
【０００４】
そこで、例えば、特許文献１のように、銀行や電子マネーチャージ機に出向かなくても、電子マネーの通貨を両替できる携帯端末システムが知られている。特許文献１の携帯端末システムでは、携帯端末のユーザは、ネットワークを介して電子マネー両替サーバにアクセスし、滞在先の通貨の電子マネーに両替するように要求する。そして、電子マネー両替サーバは、予め定められた両替レートに従って、非接触ＩＣに記憶されている電子マネーを滞在先の通貨の電子マネーに両替するように、両替処理結果を携帯端末に対して送信する。そして、携帯端末で非接触ＩＣに記憶される電子マネーの通貨の両替が完了するシステムとなっている。
【特許文献１】特開２００４−２４０８５８号公報
【発明の開示】
【発明が解決しようとする課題】
【０００５】
しかしながら、上記特許文献１のような携帯端末システムでは、非接触ＩＣに記憶された通貨の電子マネーを滞在先の通貨の電子マネーに両替するように、ユーザが電子マネー両替サーバに対して要求しなければならない。そのため、予め滞在先の通貨の種類について、ユーザに知識がなければ、上記要求をすることができず両替ができないという問題があった。
【０００６】
本発明は、かかる点に鑑みてなされたものであり、その目的とするところは、滞在先の通貨の種類についてユーザに知識がなくても、非接触ＩＣに記憶されている通貨の電子マネーを滞在先の通貨の電子マネーに自動的に両替することにある。
【課題を解決するための手段】
【０００７】
上記の目的を達成するために、本発明では、携帯端末が滞在先の通貨情報を送信する基地局を認識できるようにした。
【０００８】
具体的には、第１の発明では、電子マネーを記憶可能な非接触ＩＣを搭載し、滞在先の通貨の種類を含む通貨情報を送信する基地局を認識し、該基地局と送受信可能な携帯端末と、上記受信した通貨情報に基づく携帯端末からの両替レートの照会要求に対して、予め定められた両替レートを該携帯端末に送信する手段及び該携帯端末からの両替要求額を含む両替処理要求に対して、両替処理を実行する手段を有する電子マネー両替サーバとを含む構成とした。
【０００９】
上記の構成によると、携帯端末のユーザが海外に携帯端末を持参したとき、この携帯端末は滞在先の基地局を自動的に認識する。そして、この基地局は、滞在する国の通貨の種類を含む通貨情報を携帯端末に送信する。滞在する国の通貨の種類が、携帯端末の非接触ＩＣに記憶されている電子マネーの通貨の種類と異なる場合、携帯端末は電子マネー両替サーバに対して、両替レートの照会要求を送信する。この照会要求に対して、電子マネー両替サーバは、予め定められた両替レートを携帯端末に応答する。そして、携帯端末は両替要求額を含む両替処理要求を電子マネー両替サーバに対して送信する。これを受けて、電子マネー両替サーバは携帯端末に対して両替処理を実行する。
【００１０】
第２の発明では、複数の上記電子マネー両替サーバを有し、上記携帯端末は上記複数の電子マネー両替サーバに対して、非接触ＩＣに記憶された通貨の電子マネーを滞在先の通貨の電子マネーに両替可能か否かの照会要求を送信し、上記携帯端末は上記照会要求に対して肯定応答のあった電子マネー両替サーバに対して、上記両替レートの照会要求及び両替処理要求を送信する構成とする。
【００１１】
上記の構成によると、例えば、「円」の電子マネーと「ドル」の電子マネーとを両替可能なものや、「円」の電子マネーと「ユーロ」の電子マネーとを両替可能なもの等、取扱通貨の種類が異なる複数の電子マネー両替サーバを有している。そして、携帯端末はこれら複数の電子マネー両替サーバに対して、非接触ＩＣに記憶された通貨の電子マネーを滞在先の通貨の電子マネーに両替可能か否かの照会要求を順次送信する。この照会要求が送信された電子マネー両替サーバのうち、取扱通貨の種類が非接触ＩＣに記憶された通貨の種類及び滞在先の通貨の種類と同一である電子マネー両替サーバは、携帯端末に対して肯定応答を送信する。そして、携帯端末は、この肯定応答を送信してきた電子マネー両替サーバに対して両替レートの照会要求を送信する。この照会要求に対して、電子マネー両替サーバは、予め定められた両替レートを携帯端末に応答し、携帯端末からの両替要求額を含む両替処理要求に対して両替処理を実行する。
【００１２】
上記第３の発明では、上記電子マネー両替サーバは、少なくとも円単位の電子マネーと外貨単位の電子マネーとを両替可能である構成とする。
【００１３】
上記の構成では、非接触ＩＣに「円」の電子マネーが記憶されている場合や、非接触ＩＣには外貨の電子マネーが記憶され、滞在先が日本であり、日本の基地局から通貨の種類が「円」である旨を含む通貨情報が携帯端末に対して送信される場合が対象となる。このとき、携帯端末からの両替可能か否かの照会要求に対して、取扱通貨の一方が「円」である電子マネー両替サーバが肯定応答を送信する。
【００１４】
上記第４の発明では、両替レートの異なる複数の上記電子マネー両替サーバを有し、上記携帯端末は上記複数の電子マネー両替サーバに対して、上記両替レートの照会要求を送信し、上記携帯端末は、上記照会要求に対して応答された複数の両替レートの中で最も高い両替レートを示した電子マネー両替サーバを選択し、該選択した電子マネー両替サーバに対して上記両替処理要求を送信する構成とする。
【００１５】
上記の構成によると、このシステムは、取扱通貨が同一であり、両替レートが異なる電子マネー両替サーバを複数有している。そして、これらの複数の電子マネー両替サーバは、携帯端末からの両替レートの照会要求に対してそれぞれの予め定められた両替レートを応答し、携帯端末は、送信された複数の両替レートの中で最も高い両替レートを示した電子マネー両替サーバを選択し、その電子マネー両替サーバに対して両替処理要求を送信する。
【００１６】
上記第５の発明では、電子マネーを記憶可能な非接触ＩＣを搭載した携帯端末からの両替レートの照会要求に対して、予め定められた両替レートを該携帯端末に送信する手段及び該携帯端末からの両替要求額を含む両替処理要求に対して、両替処理を実行する手段を有する電子マネー両替サーバを対象とする。
【００１７】
そして、上記携帯端末は、滞在先の通貨の種類を含む通貨情報を送信する基地局を認識し、該基地局と送受信可能であり、該受信した通貨情報に基づいて上記両替レートの照会要求を送信する構成とする。
【００１８】
上記の構成によると、携帯端末のユーザが海外に携帯端末を持参したときに、この携帯端末が滞在先の基地局を自動的に認識する。そして、この基地局から送信された滞在する国の通貨の種類を含む通貨情報に基づいて、携帯端末から電子マネー両替サーバに対して両替レートの照会要求が送信される。この照会要求に対して、電子マネー両替サーバは、予め定められた両替レートを携帯端末に応答する。そして、携帯端末から両替要求額を含む両替処理要求が電子マネー両替サーバに対して送信され、電子マネー両替サーバは携帯端末に対して両替処理を実行する。
【００１９】
上記第６の発明では、上記携帯端末からの非接触ＩＣに記憶された通貨の電子マネーを滞在先の通貨の電子マネーに両替可能か否かの照会要求に対して応答する構成とする。
【００２０】
上記の構成によると、複数の電子マネー両替サーバは、例えば、「円」の電子マネーと「ドル」の電子マネーとを両替可能なものや、「円」の電子マネーと「ユーロ」の電子マネーとを両替可能なもの等、取扱通貨の種類がそれぞれ異なる。そして、携帯端末はこれら複数の電子マネー両替サーバに対して、非接触ＩＣに記憶された通貨の電子マネーを滞在先の通貨の電子マネーに両替可能か否かの照会要求を送信する。この照会要求が送信された電子マネー両替サーバのうち、取扱通貨の種類が非接触ＩＣに記憶された通貨の種類及び滞在先の通貨の種類と同一である電子マネー両替サーバは、携帯端末に対して肯定応答を送信する。そして、携帯端末は、この肯定応答を送信してきた電子マネー両替サーバに対して両替レートの照会要求を送信する。この照会要求に対して、電子マネー両替サーバは、予め定められた両替レートを携帯端末に応答し、携帯端末からの両替要求額を含む両替処理要求に対して両替処理を実行する。
【００２１】
上記第７の発明では、少なくとも円単位の電子マネーと外貨単位の電子マネーとを両替可能である構成とする。
【００２２】
上記の構成によると、非接触ＩＣに「円」の電子マネーが記憶されている場合や、非接触ＩＣには外貨の電子マネーが記憶され、滞在先が日本であり、日本の基地局から通貨が「円」である旨の通貨情報が携帯端末に対して送信される場合を対象とする。このとき、携帯端末からの両替可能か否かの照会要求に対して、取扱通貨の一方が「円」である電子マネー両替サーバが肯定応答を送信する。
【００２３】
上記第８の発明では、電子マネーを記憶可能な非接触ＩＣを搭載し、滞在先の通貨の種類を含む通貨情報を送信する基地局を認識し、該基地局と送受信可能であり、予め定められた両替レートを送信する手段及び両替処理を実行する手段を有する電子マネー両替サーバと送受信可能であり、上記電子マネー両替サーバに対して、上記受信した通貨情報に基づく両替レートの照会要求及び両替要求額を含む両替処理要求を送信する構成とする。
【００２４】
上記の構成によると、携帯端末のユーザが海外に携帯端末を持参したとき、この携帯端末は滞在先の基地局を自動的に認識する。そして、この基地局から送信された滞在する国の通貨の種類を含む通貨情報に基づいて、携帯端末は、両替レートの照会要求を電子マネー両替サーバに送信する。この照会要求に対して、電子マネー両替サーバは、予め定められた両替レートを携帯端末に応答する。そして、携帯端末は両替要求額を含む両替処理要求を電子マネー両替サーバに対して送信し、電子マネー両替サーバは携帯端末に対して両替処理を実行する。
【００２５】
上記第９の発明では、複数の上記電子マネー両替サーバと送受信可能であり、上記複数の電子マネー両替サーバに対して、上記非接触ＩＣに記憶された通貨の電子マネーを滞在先の通貨の電子マネーに両替可能か否かの照会要求を送信し、上記照会要求に対して肯定応答のあった電子マネー両替サーバに対して、上記両替レートの照会要求及び両替処理要求を送信する構成とする。
【００２６】
上記の構成によると、携帯端末は、取扱通貨が異なる複数の電子マネー両替サーバに対して、非接触ＩＣに記憶された通貨の電子マネーを滞在先の通貨の電子マネーに両替可能か否かの照会要求を順次送信する。この照会要求が送信された電子マネー両替サーバのうち、取扱通貨の種類が非接触ＩＣに記憶された通貨の種類及び滞在先の通貨の種類と同一である電子マネー両替サーバは、携帯端末に対して肯定応答を送信する。そして、携帯端末は、この肯定応答を送信してきた電子マネー両替サーバに対して両替レートの照会要求を送信する。
【００２７】
上記第１０の発明では、両替ルートが異なる複数の上記電子マネー両替サーバと送受信可能であり、上記複数の電子マネー両替サーバに対して、上記両替レートの照会要求を送信し、上記照会要求に対して応答された複数の両替レートの中で最も高い両替レートを示した電子マネー両替サーバを選択し、該選択した電子マネー両替サーバに対して上記両替処理要求を送信する構成とする。
【００２８】
上記の構成によると、携帯端末は、取扱通貨が同一であり、両替レートが異なる複数の電子マネー両替サーバに両替レートの照会要求を順次送信する。そして、これらの複数の電子マネー両替サーバは、それぞれの両替レートを携帯端末に応答し、携帯端末は送信された複数の両替レートの中で最も高い両替レートを示した電子マネー両替サーバを選択し、その電子マネー両替サーバに対して両替処理要求を送信する。
【発明の効果】
【００２９】
以上説明したように、本発明によれば、携帯端末が滞在先の通貨情報を送信する基地局を認識できるようにしている。このため、携帯端末のユーザが滞在先の通貨の種類について知識がなくても、携帯端末が自動的に滞在先の通貨情報を基地局から得ることができ、非接触ＩＣに記憶された通貨の電子マネーを自動的に滞在先の通貨の電子マネーに両替することができる。
【００３０】
さらに、複数の電子マネー両替サーバの取扱通貨を異なるものとした。このため、複数種類の通貨の両替が可能であり、ユーザは携帯端末を多数の国で利用することができる。
【００３１】
また、いずれかの電子マネー両替サーバの取扱通貨の一方を円とした。このため、日本のユーザが海外に携帯端末を持参したときや、海外で携帯端末を使用して日本に帰国したときに、携帯端末からの両替可能か否かの照会要求に対して、いずれかの電子マネー両替サーバが肯定応答を送信するので、両替の実行を確実に行うことができる。
【００３２】
そして、取扱通貨が同一である複数の電子マネー両替サーバの両替レートを異なるものとし、携帯端末が、これらの同一の通貨を扱う電子マネー両替サーバから送信された複数の両替レートの中で最も高い両替レートを示した電子マネー両替サーバを選択可能とした。このため、ユーザに最も有利な両替レートで自動的に両替を実行することができる。
【発明を実施するための最良の形態】
【００３３】
以下、本発明の実施形態１を図面に基づいて詳細に説明する。
【００３４】
図１は、発明の実施形態１に係る携帯端末システム７の構成を表した図である。この携帯端末システム７は、携帯電話等の携帯端末１と、電子マネー両替サーバ１０，１１，１２と、これらを結ぶ通信ネットワーク２と、滞在先の基地局３とを備えている。
【００３５】
本実施形態の携帯端末１は、日本国内で購入した携帯端末１が海外でもそのまま使える国際ローミングが可能な携帯端末１である。そして、この携帯端末１は、電子マネーを記憶可能な非接触ＩＣ５を搭載した携帯端末１であって、滞在先の基地局３を認識する機能と、通信ネットワーク２を介した電子マネー両替サーバ１０，１１，１２との接続機能とを備えている。さらに、携帯端末１は、通話機能の他、電子メールの送受信機能、インターネット接続機能等も備えている。
【００３６】
非接触ＩＣ５は、入出金や決済等にかかる貨幣価値を示す電子マネーデータ等の情報を書き換え可能なメモリ（図示せず）を有し、これらの情報を携帯端末１側へ転送する機能を備えている。そして、この非接触ＩＣ５は、携帯端末１からの特定の電子マネーの電子決済処理要求を受付及び実行することができる電子マネーチャージ機等の専用の決済端末６との間で、メモリに記憶された電子マネーデータを電磁波等の無線によって離れたまま送受信できるようになされている。
【００３７】
電子マネーは、携帯端末１の非接触ＩＣ５が現金や預金の前払いと引換えに取得する電子的なデータで、このデータにより、携帯端末１を用いて通常の貨幣のように商品を購入したり、サービスを受けたりすることができる。
【００３８】
基地局３は、携帯端末１と無線通信により直接交信する装置である。携帯端末１から発信する電波は、まずその電波が届く一番近い基地局３に送信され、この電波を受信した基地局３は、携帯端末１に対して基地局３が設置されている国の通貨情報及び国情報を送信する。
【００３９】
通信ネットワーク２は、携帯端末１が電子マネー両替サーバ１０，１１，１２にアクセスするための携帯電話網、インターネット等のネットワークで構成されている。
【００４０】
電子マネー両替サーバ１０，１１，１２は、電子マネー格納領域（図示せず）を有し、電子マネーの両替に関する各種サービスを提供するサーバとなっている。電子マネー格納領域は、各種の電子マネー毎の利用可能額を記憶保持できるように構成されている。
【００４１】
決済端末６は、店頭等に設置された情報処理機器であって、任意の携帯端末からの特定の電子マネーの電子決済処理要求を受付し、実行することができる端末装置である。この決済端末６と携帯端末１との接続は、携帯端末１に搭載された非接触ＩＣ５による無線通信手段によって行われる。
【００４２】
−運転動作−
次に、本実施形態に係る携帯端末システム７の動作について説明する。
【００４３】
図１に示すように、この携帯端末システム７の通信ネットワーク２には、電子マネー両替サーバ１０，１１，１２を含む複数の電子マネー両替サーバが接続されている。
【００４４】
電子マネー両替サーバ１０が両替処理を行うことができる取扱通貨の種類は「円」及び「ドル」であり、電子マネー両替サーバ１１の取扱通貨の種類は「円」及び「ユーロ」であり、電子マネー両替サーバ１２の取扱通貨の種類は「円」及び「元」である。
【００４５】
携帯端末１に搭載された非接触ＩＣ５には、「円」単位の電子マネーが記憶され、ユーザがこの携帯端末１を日本から海外へ持って行った場合について説明する。
【００４６】
図２は、本実施形態に係る携帯端末システム７の動作を示すフローチャートである。
【００４７】
携帯端末１は、ユーザが滞在する国に設置された基地局３を自動的に認識し、この基地局３に電波を発信する。すると、ステップＳ２０において、基地局３は、この携帯端末１に対して、基地局３が設置されている国の通貨の種類を含む通貨情報及び国情報を送信する。
【００４８】
ステップＳ２１において、携帯端末１は、上記通貨情報に基づいて、非接触ＩＣ５に記憶された電子マネーの通貨の種類と上記基地局３から送信された通貨情報による通貨の種類が同一であるか否かを判断する。
【００４９】
そして、ステップＳ３０において、通貨の種類が同一である場合、すなわち、滞在先の通貨の種類が「円」である場合、携帯端末１には、両替不要のメッセージが表示され、処理は終了する。
【００５０】
ステップＳ２１において、通貨の種類が異なる場合、例えば、滞在先の通貨の種類が「ユーロ」である場合、携帯端末１は、まず電子マネー両替サーバ１０に対して、取扱通貨確認要求を送信する。
【００５１】
ステップＳ２３において、取扱通貨確認要求、すなわち、非接触ＩＣ５に記憶された通貨の電子マネーを滞在先の通貨の電子マネーに両替可能か否かの照会要求が送信された電子マネー両替サーバ１０は、両替可能か否かを判断する。
【００５２】
この電子マネー両替サーバ１０は、取扱通貨の種類が「円」及び「ドル」であるので、携帯端末１に対して両替不可である旨の否定応答を送信する。
【００５３】
ステップＳ２４において、否定応答を受信した携帯端末１は、他に取扱通貨確認要求が送信できる電子マネー両替サーバがあるか否かを探索する。
【００５４】
ステップＳ３１において、携帯端末１から取扱通貨確認要求を送信する電子マネー両替サーバがない場合には、携帯端末１には両替不可のメッセージが表示され、処理は終了する。
【００５５】
ステップＳ２２において、否定応答を受信した携帯端末１は、電子マネー両替サーバ１１に上記取扱通貨確認要求を送信する。
【００５６】
ステップＳ２３において、取扱通貨確認要求を受信した電子マネー両替サーバ１１は、両替可能か否かを判断する。この電子マネー両替サーバ１１は、取扱通貨が「円」及び「ユーロ」であるので、携帯端末１に対して両替可能である旨の肯定応答を送信する。
【００５７】
ステップＳ２５において、肯定応答を送信してきた電子マネー両替サーバ１１に対して、携帯端末１は、両替レート照会要求を送信する。
【００５８】
ステップＳ２６において、両替レート照会要求を受信した電子マネー両替サーバ１１は、予め定められた両替レートを両替レート確認応答として携帯端末１に送信する。
【００５９】
ステップＳ２７において、携帯端末１は、両替前の通貨の種類、両替後の通貨の種類、両替レート及び両替要求額を含む両替処理要求を上記電子マネー両替サーバ１１に送信する。
【００６０】
ステップＳ２８において、両替処理要求を受信した電子マネー両替サーバ１１は、両替処理要求で指定された内容に問題がなければ、電子マネー格納領域に記憶された両替前の通貨（「円」）の電子マネーの利用可能額を両替処理要求で指定された両替要求額分増加させるとともに、両替後の通貨（「ユーロ」）の電子マネーの利用可能額を両替要求額分減少させて両替処理を実行し、両替処理実行応答を携帯端末１に対して応答する。
【００６１】
両替処理実行応答を受信した携帯端末１は、非接触ＩＣ５に記憶された両替前の通貨（「円」）の電子マネーの利用可能額を両替処理実行応答で指定された両替要求額分減少させるとともに、両替後の通貨（「ユーロ」）の電子マネーの利用可能額を両替要求額分増加させる。
【００６２】
上記の両替処理が完了したとき、携帯端末１の非接触ＩＣ５には「ユーロ」単位の電子マネーが記憶されているので、滞在先の決済端末６と接続して決済手続きを行うことができる。
【００６３】
−実施形態１の効果−
したがって、本実施形態の携帯端末システム７においては、携帯端末１が滞在先の通貨情報を送信する基地局３を認識できるようにしている。このため、携帯端末１のユーザが滞在先の通貨の種類について知識がなくても、携帯端末１が自動的に滞在先の通貨情報を基地局３から得ることができるので、非接触ＩＣ５に記憶された通貨の種類の電子マネーを自動的に滞在先の通貨の種類の電子マネーに両替することができる。
【００６４】
さらに、複数の電子マネー両替サーバ１０，１１，１２の取扱通貨をそれぞれ異なるものとした。このため、複数種類の通貨の両替が可能であり、ユーザは携帯端末１を多数の国で利用することができる。
【００６５】
また、電子マネー両替サーバ１０，１１，１２の取扱通貨の一方を円とした。このため、日本からユーザが海外に携帯端末１を持参したときや、海外で携帯端末１を使用し、日本に帰国したときに、携帯端末１からの両替可能か否かの照会要求Ｓ２１に対して、いずれかの電子マネー両替サーバ１０，１１，１２が肯定応答Ｓ２３を送信するので、両替の実行を確実に行うことができる。
【００６６】
《発明の実施形態２》
図３は、本発明の実施形態２に係る携帯端末システム１０７の構成を示す。なお、図１と同じ部分については同じ符号を付してその詳細な説明は省略する。
【００６７】
すなわち、携帯端末システム１０７の構成は、実施形態１と同じであるが、交換レートの異なる電子マネー両替サーバ１１０，１１１，１１２を含む複数の電子マネー両替サーバが通信ネットワーク２と接続されている点で上記実施形態１と異なる。
【００６８】
−運転動作−
次に、本実施形態に係る携帯端末システム１０７の動作について説明する。
【００６９】
電子マネー両替サーバ１１０が両替処理を行うことができる取扱通貨の種類は「円」及び「ユーロ」であり、電子マネー両替サーバ１１１，１１２の取扱通貨の種類は「円」及び「ドル」である。電子マネー両替サーバ１１０の両替レートは、Ｂｕｙ（円からユーロへの両替）：１ユーロに対して１３０円、Ｓｅｌｌ（ユーロから円への両替）：１ユーロに対して１３４円である。電子マネー両替サーバ１１１の両替レートは、Ｂｕｙ（円からドルへの両替）：１ドルに対して１１３円、Ｓｅｌｌ（ドルから円への両替）：１ドルに対して１０８円である。電子マネー両替サーバ１１２の両替レートは、Ｂｕｙ：１ドルに対して１１２円、Ｓｅｌｌ：１ドルに対して１１０円である。
【００７０】
携帯端末１に搭載された非接触ＩＣ５には、「円」単位の電子マネーが記憶されている。
【００７１】
図４は、本実施形態に係る携帯端末システム１０７の動作を示すフローチャートである。
【００７２】
ステップＳ１２０において、携帯端末１は、ユーザが滞在する国の基地局３を自動的に認識し、この基地局３に電波を発信する。すると、基地局３は、この携帯端末１に対して、基地局３が設置されている国の通貨の種類を含む通貨情報及び国情報を送信する。
【００７３】
ステップＳ１２１において、携帯端末１は、上記通貨情報に基づいて、非接触ＩＣ５に記憶された電子マネーの通貨の種類と上記基地局３から送信された通貨情報による通貨の種類が同一であるか否かを判断する。
【００７４】
そして、ステップＳ１３０において、通貨の種類が同一である場合、すなわち、滞在先の通貨の種類が「円」である場合、携帯端末１には、両替不要のメッセージが表示され、処理は終了する。
【００７５】
ステップＳ１２２において、通貨の種類が異なる場合、例えば、滞在先の通貨の種類が「ドル」である場合、携帯端末１は、まず電子マネー両替サーバ１１０に対して、取扱通貨確認要求を送信する。
【００７６】
ステップＳ１２３において、取扱通貨確認要求を受信した電子マネー両替サーバ１１０は、両替可能か否かを判断する。
【００７７】
この電子マネー両替サーバ１１０は、取扱通貨の種類が「円」及び「ユーロ」であるので、携帯端末１に対して両替不可である旨の否定応答を送信する。
【００７８】
ステップＳ１２４において、否定応答を受信した携帯端末１は、他に取扱通貨確認要求が送信できる電子マネー両替サーバがあるか否かを探索する。
【００７９】
ステップＳ１３１において、携帯端末１から取扱通貨確認要求を送信する電子マネー両替サーバがない場合は、携帯端末１には両替不可のメッセージが表示され、処理は終了する。
【００８０】
ステップＳ１２２において、否定応答を受信した携帯端末１は、電子マネー両替サーバ１１１に上記取扱通貨確認要求を送信する。
【００８１】
ステップＳ１２３において、取扱通貨確認要求を受信した電子マネー両替サーバ１１１は、両替可能か否かを判断する。
【００８２】
この電子マネー両替サーバ１１１は、取扱通貨の種類が「円」及び「ドル」であるので、携帯端末１に対して両替可能である旨の肯定応答を送信する。
【００８３】
ステップＳ１２５において、肯定応答を送信してきた電子マネー両替サーバ１１１に対して、携帯端末１は、両替レート照会要求を送信する。
【００８４】
ステップＳ１２６において、両替レート照会要求を受信した電子マネー両替サーバ１１１は、予め定められた両替レートを両替レート確認応答として携帯端末１に送信する。
【００８５】
ステップＳ１２７において、両替レート確認応答を受信した携帯端末１は、他に取扱通貨確認要求を送信することができる電子マネー両替サーバがあるか否かを探索する。
【００８６】
ステップＳ１２２において、他に電子マネー両替サーバがある場合、携帯端末１は、さらに取扱通貨確認要求を送信する。
【００８７】
ステップＳ１２８において、他に電子マネー両替サーバがない場合、携帯端末１は、両替レート確認応答を送信した電子マネー両替サーバ１１１，１１２の中から、最も高い両替レートを示した電子マネー両替サーバ１１２を選択し、この電子マネー両替サーバ１１２に対して両替処理要求を送信する。
【００８８】
ステップＳ１２９において、両替処理要求を受信した電子マネー両替サーバ１１２は、両替処理要求で指定された内容に問題がなければ、両替処理実行応答を携帯端末１に対して応答する。
【００８９】
上記の両替処理が完了したとき、携帯端末１の非接触ＩＣ５には「ドル」単位の電子マネーが記憶されているので、滞在先の決済端末６と接続して決済手続きを行うことができる。
【００９０】
−実施形態２の効果−
したがって、本実施形態の携帯端末システム１０７においては、取扱通貨が同一である複数の電子マネー両替サーバ１１１，１１２を備え、それぞれの両替レートを異なるものとし、携帯端末１がこれらの同一の通貨を扱う電子マネー両替サーバ１１１，１１２から送信された複数の両替レートの中から、最も高い両替レートを示した電子マネー両替サーバ１１２を選択可能としている。このため、ユーザに最も有利な両替レートで自動的に両替を実行することができる。
【００９１】
《その他の実施形態》
本発明は、上記実施形態について、以下のような構成としてもよい。
【００９２】
すなわち、上記実施形態では、複数の電子マネー両替サーバ１０，１１，１２，１１０，１１１，１１２を備えるものとしたが、単一の電子マネー両替サーバとしてもよく、携帯端末１は、取扱通貨確認要求Ｓ２１，Ｓ１２１を送信せずに、両替レート照会要求Ｓ２４，Ｓ１２４をこの電子マネー両替サーバに対して送信するものとしてもよい。
【００９３】
また、 上記実施形態では、電子マネー両替サーバ１０，１１，１２，１１０，１１１，１１２の取扱通貨の一方は日本円としたが、取扱通貨の種類は限定されず、「ドル」及び「ユーロ」等の外貨のみを扱うものがあってもよい。
【産業上の利用可能性】
【００９４】
以上説明したように、本発明は、電子マネーを記憶可能な非接触ＩＣを搭載し、国際ローミングが可能である携帯端末を含む携帯端末システムについて有用である。
【図面の簡単な説明】
【００９５】
【図１】本発明の実施形態１に係る携帯端末システムを示す構成図である。
【図２】本発明の実施形態１に係る携帯端末システムの動作を示すフローチャートである。
【図３】本発明の実施形態２に係る携帯端末システムを示す構成図である。
【図４】本発明の実施形態２に係る携帯端末システムの動作を示すフローチャートである。
【符号の説明】
【００９６】
１      携帯端末
３      基地局
５      非接触ＩＣ
７      携帯端末システム
１０    電子マネー両替サーバ
１１    電子マネー両替サーバ
１２    電子マネー両替サーバ
１０７  携帯端末システム
１１０  電子マネー両替サーバ
１１１  電子マネー両替サーバ
１１２  電子マネー両替サーバ
【図１】
2007026274.tif 000003
【図２】
2007026274.tif 000004
【図３】
2007026274.tif 000005
【図４】
2007026274.tif 000006